(57)【要約】      （修正有）【課題】任意の手摺のみを他の手摺に対して連結又は取り外しでき、手摺保持部材と手摺連結部材の楔が緩まないようにし、手摺と手摺保持部材と手摺連結部材を確実にガイドが通過できるようにする。【解決手段】二つ以上の縦支柱１ａ、１ｂ、１ｃと、各縦支柱１ａ、１ｂ、１ｃの上端にそれぞれ設けた手摺保持部材２と、各手摺保持部材２にそれぞれ挿入した複数の独立した手摺３ａ、３ｂ、３ｃと、各手摺３ａ、３ｂ、３ｃの各端部間にスライド自在に挿入した複数の手摺連結部材４ａ、４ｂと、各手摺３ａ、３ｂ、３ｃの外周に取り付けられると共に手摺保持部材２と手摺連結部材４ａ、４ｂとを通過する命綱取付け用のガイド５とを備え、手摺保持部材２と、手摺連結部材４ａ、４ｂとはそれぞれ手摺に対する緩み止め部材を有し、命綱取付け用のガイド５は湾曲した手摺と手摺保持部材２と手摺連結部材４ａ、４ｂの各外周に当接しながら搖動するローラを有している。【選択図】図１
2018044343.tif 000002
【特許請求の範囲】
【請求項１】
被取付け部材（Ｗ）に取付けられて起立する少なくとも二つ以上の縦支柱（１ａ）、（１ｂ）、（１ｃ）・・（１ｎ）と、
各縦支柱（１ａ）、（１ｂ）、（１ｃ）・・（１ｎ）の上端にそれぞれ設けた手摺保持部材（２）と、
各手摺保持部材（２）にそれぞれ横方向スライド自在に挿入したストレート又は湾曲した複数の独立した手摺（３ａ）、（３ｂ）、（３ｃ）・・（３ｎ）と、
上記各手摺（３ａ）、（３ｂ）、（３ｃ）・・（３ｎ）の各端部間にスライド自在に挿入して隣同士の手摺（３ａ）、（３ｂ）、（３ｃ）・・（３ｎ）の各端部を着脱自在に連結する複数の手摺連結部材（４ａ）、（４ｂ）・・（４ｎ）と、
上記各手摺（３ａ）、（３ｂ）、（３ｃ）・・（３ｎ）の外周にスライド自在に取り付けられると共に上記手摺保持部（２）と上記手摺連結部材（４ａ）、（４ｂ）・・（４ｎ）との各外周を通過する命綱取付け用のガイド（５）と、を備え、
上記手摺保持部（２）と、上記手摺連結部材（４ａ）、（４ｂ）・・（４ｎ）とはそれぞれ手摺（３ａ）、（３ｂ）、（３ｃ）・・（３ｎ）に対する緩み止め部材を有し、
更に、上記命綱取付け用のガイド（５）は上記手摺保持部（２）と上記手摺連結部材の各外周とに当接しながら搖動するローラ（２２ａ）、（２２ｂ）を有している手摺装置。
【請求項２】
少なくとも三本の左右一対の縦支柱（１ａ）、（１ｂ）及び中間の縦支柱（１ｃ）と、各左右の縦支柱（１ａ）、（１ｂ）の上端に設けた各手摺保持部材（２）、（２）にそれぞれ挿入した左右一対の手摺（３ａ）、（３ｂ）と、
同じく上記中間の縦支柱（１ｃ）の上端に設けた手摺保持部材（２）に挿入されて上記左右の手摺（３ａ）、（３ｂ）間に配置した中間の手摺（３ｃ）と、
上記左右の手摺（３ａ）、（３ｂ）の片側端部と上記中間の手摺（３ｃ）の両端部にそれぞれスライド自在に挿入した左右一対の手摺連結部材（４ａ）、（４ｂ）と、を備えている請求項１に記載の手摺装置。
【請求項３】
上記手摺保持部材（２）は正面側又は背面側が解放されると共に底壁（２Ｂ）が傾斜する中空な筒体（２Ａ）と、
上記筒体（２Ａ）内に上記底壁（２Ｂ）に沿ってスライド自在に嵌合する楔（６）とから構成され、
上記筒体（２Ａ）の上壁内面と上記楔（６）上面とで上記手摺（３ａ）、（３ｂ）、（３ｃ）を挟持している請求項１又は２に記載の手摺装置。
【請求項４】
上記筒体（２Ａ）は側壁に形成した係止孔（７）と、
上記底壁（６ｂ）に下方に向けて突設した係止ピン（８）と、を備え、
上記楔（６）が断面コ字状に形成された本体（６ａ）と、
上記底部（６ｂ）に長手方に形成されて上記係止ピン（８）にスライド自在に嵌合する長孔（６ｃ）と、
上記本体（６ａ）内に挿入されて上記係止孔（７）内に着脱自在に嵌合する板バネ（６ｄ）からなる緩み止め部材と、を備えている請求項３に記載の手摺装置。
【請求項５】
上記各手摺連結部材（４ａ）、（４ｂ）は下方が解放された筒体（９ａ）と、
上記筒体（９ａ）の上壁の中央に形成した覗き孔（１０）と、
上記筒体（９ａ）の下端に連設されて底壁（９ｃ）が傾斜する楔ガイド部（９ｂ）と、
上記楔ガイド部（９ｂ）内に上記底壁（９ｃ）に沿ってスライド自在に挿入した楔（１３）と、から構成され、
上記筒体（９ａ）の上壁内面と上記楔（１３）上面とで上記手摺（３ａ）、（３ｂ）、（３ｃ）を挟持している請求項１、２、３又は４に記載の手摺装置。
【請求項６】
上記楔ガイド部（９ｂ）は側壁に形成した係止孔（１１）と、
上記底壁（９ｃ）に下方に向けて突設した係止ピン（１２）と、を備え、
上記楔（１３）が断面コ字状に形成された本体（１３ａ）と、
上記本体（１３ａ）の底部（１３ｂ）に長手方に形成されて上記係止ピン（１２）にスライド自在に嵌合する長孔（１３ｃ）と、
上記本体（１３ａ）内に挿入されて上記係止孔（１１）内に着脱自在に嵌合する板バネ（１４）からなる緩み止め部材と、を備えている請求項５に記載の手摺装置。
【請求項７】
上記命綱取付け用のガイド（５）は下方が解放された筒体（１５）と、
上記筒体（１５）の両端に設けたラッパ型の筒部（１６）、（１６）と、
上記筒体（１５）の上壁と右側部に設けられて上記手摺（３ａ）、（３ｂ）、（３ｃ）の上面と右側面にそれぞれ回転自在に当接する一つ又は複数の上部ローラ（２３ａ）、（２３ｂ）及び右側ローラ（２２ａ）、（２２ａ）と、
上記筒体（１５）の右側部に張出して設けた命綱取付け具（２７）と、
上記筒体（１５）の左側側部に設けた取付け部材（１８）と、
上記取付け部材（１８）に搖動自在に取付けた長細のブラケット（１７）と、
上記ブラケット（１７）の両側に設けられて上記手摺（３ａ）、（３ｂ）、（３ｃ）の左側面に回転自在に当接する前後二つの左側ローラ（２２ｂ）、（２２ｂ）と、
上記取付け部材（１８）と上記ブラケット（１７）間に介装されて上記ブラケット（１７）と左側ローラ（２２ｂ）、（２２ｂ）を上記手摺（３ａ）、（３ｂ）、（３ｃ）側に附勢するスプリング（２６）と、
から構成されている請求項１、２、３、４、５又は６に記載の手摺装置。
【請求項８】
断面Ｕ字状の取付け部材（１８）が上記筒体（１５）の左側側部から張り出して設けられ、
断面Ｕ字状のブラケット（１７）が上記取付け部材（１８）に左右移動自在な支持軸（２４）を介して搖動自在に取付けられ、
上記取付け部材（１８）の外端と上記ブラケット（１７）の外端間にガイドピン（２５）が設けられ、このガイドピン（２５）の外周にコイルスプリング（２６）が介装されている請求項７に記載の手摺装置。
【請求項９】
上記筒体（１５）の内径寸法が上記手摺保持部材（２）の筒体（５）及び上記手摺連結部材（４）の筒体（９ａ）の外径より大きく成形されている請求項７又は８に記載の手摺装置。
【請求項１０】
縦支柱（１ａ）、（１ｂ）、（１ｃ）がストレートな柱体（Ａ１）又は下部を屈曲させた柱体（Ａ２）と、
柱体（Ａ１）、（Ａ２）の下端に設けられてＨ鋼のフランジを挟持する挟持部材（Ｂ）とからなり、柱体（Ａ１）、（Ａ２）の上端と中間胴部に手摺保持部材（２）を結合している請求項１〜９のいずれか一項に記載の手摺装置。
【発明の詳細な説明】
【技術分野】
【０００１】
本発明は、手摺装置に関し、特に、建築物、橋梁等の建築、構築現場におけるＨ鋼等に起立した縦支柱と、この縦支柱取付けた横支柱と、横支柱に沿ってスライド自在に取り付けた命綱取付け用のガイドと備え、作業者の歩行、作業の安全を図る手摺装置に関する。
【背景技術】
【０００２】
一般に、ビルディング等の建築物の建築現場、橋梁等の構築物の構築現場ではＨ鋼のフランジに挟持部材を介して複数の縦支柱を起立し、これらの縦支柱に横方向に沿って手摺を取付け、またこの手摺に命綱を取付けたガイドをスライド自在に挿入した手摺装置が使用されている。
【０００３】
この手摺装置は作業者がＨ鋼のフランジ上又はＨ鋼に近接した通路を歩行する時の安全を図るものである。
【０００４】
また、命綱を取付けたガイドを手摺に取付けているので、このガイドは作業者の歩行に伴って横支柱の外周をスライドして移動し、その結果、常に作業者の胴部に巻きつけた命綱が横支柱に繋がっているので、作業者がフランジ上又は通路上から落下しそうになったときでも命綱と手摺とで作業者を支えて転倒するのを防止し、あるいは、地上に落下するのを防止して安全を図っている。
【０００５】
このような手摺装置としては、例えば、特許文献１に開示されたものが開発されている。
【０００６】
この手摺装置は、建築、構築現場のＨ鋼に取付けられて起立する複数の縦支柱と、各縦支柱の上端にそれぞれ設けた手摺保持部材と、各手摺保持部材にそれぞれ横方向スライド自在に挿入したストレートな二本の手摺と、手摺の外周にスライド自在に取り付けられると共に各手摺保持部材の外周を通過する命綱取付け用のガイドと、を備えているものである。
【０００７】
また、二本の手摺はその端部同士を突き合わせながら手摺連結部材を介して横方向に継ぎ足している。
【０００８】
そして、上記の命綱取付け用のガイドは外筒と、外筒の側部と上部とに設けられて手摺の外周と手摺保持部材の外周に回転自在に当接するローラとを備え、作業者の歩行に伴ってローラが手摺と手摺保持部材の各外周を転動して通過し、常にガイドとこのガイドに連結した命綱を介して作業者が手摺で支えられるようになっている。
【０００９】
また、上記手摺連結部材は外筒と、外筒の下部に挿入した楔とを備え、外筒内に隣接する二つの手摺の各端部を挿入し、外筒の上壁内周と楔の上面とで各手摺の端部を挟持するものである。
【先行技術文献】
【特許文献】
【００１０】
【特許文献１】特開２０１６−４４５２５号公報（要約、図１、図６、図７参照）
【発明の概要】
【発明が解決しようとする課題】
【００１１】
上記特許文献１に開示されている手摺装置は構造上欠陥があるわけではないが、次のような不具合の改善がのぞまれている。
【００１２】
第１に、二本の縦支柱に二本のストレートな手摺が手摺連結部材を介して連結されているが、作業現場の通路が長い場合、通路が途中で曲がっているような場合、二本の手摺を継ぎ足しただけではこの通路に対応して配置できない場合がある。
【００１３】
第２に、手摺保持部材と手摺連結部材は外筒とこの外筒内に挿入した楔で手摺を挟持しているが、長期間の使用中に振動その他の原因で楔が緩んで挟持力が減少し、手摺が外れる恐れがある。
【００１４】
第３に、命綱取付け用のガイドはストレートな手摺と手摺保持部材の外周を通過できるようになっているが、手摺として作業現場のコーナーに湾曲した支柱を使用している場合や、手摺保持部材の外筒の外径が仕様のものに比べて大きい場合はローラが手摺の湾曲部を通過できない場合や、手摺保持部材の外筒に干渉してこの手摺保持部を通過できない場合が有る。
【００１５】
同様に、仮に、複数の手摺連結部材を介して多数の手摺を継ぎ足した場合も想定されるが、この手摺連結部材の外径が仕様のものに比べて大きい場合はガイドが通過できない場合がある。
【００１６】
そこで、本発明の目的は、作業現場の通路がストレートで長い場合、又は作業現場のコーナー等において湾曲した通路があっても手摺を簡単に多数連続して結合できるようにすること、
任意の中間の手摺のみを他の手摺に対して簡単に連結又は取り外しできること、
手摺保持部材と手摺連結部材の楔が緩まないようにできること、
併せて、一部の手摺が湾曲している場合、あるいは、手摺保持部材と手摺連結部材の外径が仕様のものより若干大きくてもガイドが通過できるようにした手摺装置を提供することである。
【課題を解決するための手段】
【００１７】
上記の目的を達成するため、本発明の手摺装置は、被取付け部材に取付けられて起立する少なくとも二つ以上の縦支柱と、各縦支柱の上端にそれぞれ設けた手摺保持部材と、各手摺保持部材にそれぞれ横方向スライド自在に挿入したストレート又は湾曲した複数の独立した手摺と、上記各手摺の各端部間にスライド自在に挿入して隣同士の手摺の各端部を着脱自在に連結する複数の手摺連結部材と、上記各手摺の外周にスライド自在に取り付けられると共に上記手摺保持部と上記手摺連結部材との各外周を通過する命綱取付け用のガイドと、を備え、上記手摺保持部と、上記手摺連結部材とはそれぞれ手摺に対する緩み止め部材を有し、更に、上記命綱取付け用のガイドは上記手摺保持部と上記手摺連結部材の各外周とに当接しながら搖動するローラを有していることを特徴とするものである。
【発明の効果】
【００１８】
各請求項の発明によれば、次の効果を達成できる。
Ａ）各手摺の各端部間にスライド自在に挿入して隣同士の手摺の各端部を着脱自在に連結する複数の手摺連結部材を備えているので、中間の手摺の両側に設けた手摺連結部材を隣接する他方の手摺側にスライドすることにより、この中間の手摺は手摺連結部材から外れ独立して抜き取ることができる。
【００１９】
また、手摺連結部材を隣接する両側の手摺に予め取付けておき、この状態で両側の手摺連結部材をそれぞれ中間の手摺の両側にスライドして挿入することにより中間の手摺を隣接する他の手摺に簡単に継ぎ足すことができる。
【００２０】
このため、作業現場に応じて手摺の全体の長さを調節し、あるいは、損傷した中間の手摺をその都度新しいものと交換でき、手摺の取付け、取り外し作業の向上を図れる。
Ｂ）手摺保持部材と、手摺連結部材とはそれぞれ手摺に対する緩み止め部材を有しているので、振動等があっても楔が弛まず、その結果、これらの手摺保持部材と手摺連結部材に手摺がしっかりと保持され、手摺が外れるのを防止でき、安全性の向上が図れる。
Ｃ）命綱取付け用のガイドは搖動するローラを設けているので、手摺が作業現場のコーナーに設けた湾曲した手摺であっても、あるいは、手摺保持部材と上記手摺連結部材の外径が仕様のものより大きくても、このローラが搖動して手摺保持部材や手摺連結部材の各外周に乗り上がって通過できる。
【図面の簡単な説明】
【００２１】
【図１】本発明の一実施の形態に係る手摺装置の斜視図である。
【図２】本発明の一実施の形態に係る縦支柱の側面図である。
【図３】他の実施の形態に係る縦支柱の側面図である。
【図４】同じく他の実施の形態に係る縦支柱の側面図である。
【図５】同じく他の実施の形態に係る縦支柱の側面図である。
【図６】Ａ）本発明一実施の形態に係る手摺保持部材の正面図である。Ｂ）同じく側面図である。Ｃ）Ａ−Ａ線横断平面図である。
【図７】Ａ）本発明の一実施の形態に係る手摺連結部材の一部切欠き平面図である。Ｂ）同じく正面図である。Ｃ）同じく側面図である。Ｄ）Ａ−Ａ線横断平面図である。
【図８】本発明の一実施の形態に係るガイドがストレートな横支柱を通過する時の平面図である。
【図９】同じく通路コーナー部における湾曲した横支柱を通過する時の平面図である。
【図１０】同じく、手摺保持部の外周を通過する時の平面図である。
【図１１】図１０のＸ−Ｘ線縦断側面図である。
【発明を実施するための形態】
【００２２】
以下本発明の実施の一例を図に基づいて説明する。
【００２３】
図に示す手摺装置ビルディング等の建築物、橋梁等の構築部物の作業現場における通路脇に沿って設けられ、作業者がこの通路を歩行する時転倒し、あるいは、地上に落下するのを防止して安全性を図るものである。
【００２４】
この手摺装置は、例えば、図１に示すように、建築部、構築物の建築、構築現場における通路に近接して設けた被取付け部材たるＨ鋼ＷのフランジＨａに取付けられるものである。
【００２５】
図１に示すＨ鋼Ｗは建築物、構築物の骨組みを構成する構造物の一部であるが、その平面はそれ自体作業者が歩行する通路を兼用する場合もあり、あるいは通路に近接して設けている場合もある。
【００２６】
図１はストレートな通路と湾曲したコーナー部の通路に対応して手摺装置Ｔを配置した状態を示しているが、ストレートな通路のみの途中に設けても良い。
【００２７】
本発明の手摺装置Ｔの基本構造は、建築、構築現場に設けたＨ鋼Ｗからなる被取付け部材に取付けられて起立する少なくとも二つ以上の縦支柱１ａ、１ｂ、１ｃ・・１ｎと、各縦支柱１ａ、１ｂ、１ｃ・・１ｎの上端にそれぞれ設けた手摺保持部材２と、各手摺保持部材２にそれぞれ横方向スライド自在に挿入した複数の独立した手摺３ａ、３ｂ、３ｃ・・３ｎと、上記各手摺３ａ、３ｂ、３ｃ・・３ｎの各端部間にスライド自在に挿入して隣同士の手摺３ａ、３ｂ、３ｃ・・３ｎの各端部を着脱自在に連結する複数の手摺連結部材４ａ、４ｂ・・４ｎと、上記各手摺３ａ、３ｂ、３ｃ・・３ｎの外周にスライド自在に取り付けられると共に上記手摺保持部材２と上記手摺連結部材４ａ、４ｂ・・４ｎとの各外周を通過する命綱取付け用のガイド５とを備えたものである。
【００２８】
そして、上記手摺保持部材２と、上記手摺連結部材４ａ、４ｂ・・４ｎとはそれぞれ手摺３ａ、３ｂ、３ｃ・・３ｎに対する緩み止め部材を有し、更に、上記命綱取付け用のガイド５は上記手摺保持部材２と上記手摺連結部材４ａ、４ｂの各外周に当接しながら搖動するローラ２２ａ、２２ｂを有している。
【００２９】
具体的な一実施の形態に係る手摺装置Ｔは図１に示すように、建築、構築現場のコーナーに設けた左右のＨ鋼Ｗ、Ｗの外側端部に起立する左右一対の縦支柱１ａ、１ｂと、Ｈ鋼Ｗ，Ｗの内側の端部に起立する中間の一対の縦支柱１ｃ、１ｃと、各左右の縦支柱１ａ、１ｂの上端に設けた各手摺保持部材２、２にそれぞれ挿入した左右一対のストレートな手摺３ａ、３ｂと、同じく中間の縦支柱１ｃの上端に設けた手摺保持部材２に挿入されて上記左右の手摺３ａ、３ｂ間に配置して接続した中間の湾曲した手摺３ｃと、を有している。
【００３０】
また、左右の手摺３ａ、３ｂの片側端部と中間の手摺３ｃの両端部にそれぞれスライド自在に挿入した左右一対の手摺連結部材４ａ、４ｂと、を備えている。
【００３１】
また、図６、図７で後述するように、手摺保持部材２と、手摺連結部材４ａ、４ｂとはそれぞれ各手摺３ａ、３ｂ、３ｃに対する緩み止め部材たる板バネ６ｄ、１４を有している。
【００３２】
更に、命綱取付け用のガイド５は図８〜図１０で後述するように、手摺保持部材２と手摺連結部材４ａ、４ｂの各外周に当接しながら搖動するローラ２２ａ、２２ｂを有している。
【００３３】
図１の手摺装置Ｔによれば、Ｈ鋼Ｗのフランジに予め左右の縦支柱１ａ、１ｂとコーナー部の二本の中間の縦支柱１ｃ、１ｃとを起立しておく。
【００３４】
次いで、左右の縦支柱１ａ、１ｂの上端と中間胴部に上下の手摺保持部材２、２を介してそれぞれ二本ずつ左右の手摺３ａ、３ｂを水平に挿入しておく。
【００３５】
更に、中間の縦支柱１ｃ、１ｃにも上下二つの手摺保持部材２、２を介して中間の二本の手摺３ｃ、３ｃを水平に挿入する。
【００３６】
次いで、左右の手摺３ａ、３ｂに対して中間の手摺３ｃを左右の手摺連結部材４ａ、４ｂを介して連結する。
【００３７】
この際予め一方の手摺、例えば、中間の手摺３ｃの両側に手摺連結部材４ａ、４ｂを挿入しておき、この状態で左右の手摺３ａ、３ｂをスライドして中間の手摺３ｃの端部に近づけ、次いで手摺連結部材４ａ、４ｂをそれぞれ左右の手摺３ａ、３ｂの端部に挿入することにより左右の手摺３ａ、３ｂと中間の手摺３ｃとを接続する。
【００３８】
手摺３ａ、３ｂ、３ｃにスライド自在に挿入した命綱取付け用のガイドは作業者の歩行に伴って手摺３ａ、３ｂ、３ｃの外周に沿って移動し、どの位置でも常に作業者が命綱を介して手摺３ａ、３ｂ、３ｃで支えられるようになっている。
【００３９】
図１には４本の縦支柱１ａ、１ｂ、１ｃ、１ｃと三本の手摺３ａ、３ｂ、３ｃを設けた状態が示されているが、通路の長さに応じて三本以上設けても良く、二本であっても使用可能である。
【００４０】
縦支柱１ａ、１ｂ、１ｃは図２〜図５に示す実施の形態に示すように、二つのタイプがある。
【００４１】
各実施の形態に係る縦支柱１ａ、１ｂ、１ｃの基本構造は、図２、図５に示すストレートな柱体Ａ１、又は図３、図４に示す下部を屈曲させた柱体Ａ２と、柱体Ａ１、Ａ２の下端に設けられてＨ鋼Ｗのフランジを挟持する挟持部材Ｂとから構成され、柱体Ａ１、Ａ２の上端と中間胴部に手摺保持部材２をそれぞれ結合しているものである。
【００４２】
手摺保持部材２は柱体Ａ１、Ａ２の上端に一つ設けられていても良いが、安全性を向上させるため図２〜図５に示すように中間にも他の手摺保持部材２を設けても良い。この場合は、図１に示すように各縦支柱１ａ、１ｂ、１ｃ間に上下二本平行に手摺３ａ、３ｂ、３ｃを設けることができる。
【００４３】
図３、図４に示す柱体Ａ２は下部が屈曲しているが、これはＨ鋼Ｗ上を作業者が歩行する時柱体Ａ２が邪魔にならないようにこの柱体Ａ２の一部を通路の外側寄りに起立させて上方の空間を広げたものである。
【００４４】
挟持部材Ｂはコ字状の挟持片Ｂ１とこの挟持片Ｂ１に螺合したボルトＢ２とで構成されている。
【００４５】
そして、挟持片Ｂ１とボルトＢ２とでＨ鋼のフランジＨａを挟持してＨ鋼上に縦支柱１ａ、１ｂ、１ｃを起立している。
【００４６】
縦支柱１ａ、１ｂ、１ｃは図２、図３に示すように、フランジＨａが水平な場合は横向きの挟持片Ｂ１取付けたものを使用し、フランジＨａが垂直な場合は図４、図５に示すように下向きの挟持片Ｂ１を取付けたものを使用する。
【００４７】
図１に示す各手摺保持部材２は図６に示すように、正面側又は背面側が解放されると共に底壁２Ｂが傾斜する中空な筒体２Ａと、筒体２Ａ内に底壁２Ｂに沿ってスライド自在に嵌合する楔６とから構成されている。
【００４８】
これにより、解放された開口部から手摺３ａ、３ｂ、３ｃがそれぞれ挿入され、筒体２Ａの上壁内面と打ち込んだ楔６の上面とでこの手摺３ａ、３ｂ、３ｃを挟持する。
【００４９】
楔６を抜いたときは逆に手摺３ａ、３ｂ、３ｃを抜き出すことができ、手摺の取付け、取り外しが容易となる。
【００５０】
また、筒体２Ａは側壁に形成した係止孔７と、底部６ｂに下方に向けて突設した係止ピン８と、を備えている。
【００５１】
楔６は断面コ字状に形成された本体６ａと、底部６ｂに長手方に形成されて上記係止ピン８にスライド自在に嵌合する長孔６ｃとを備えている。
【００５２】
また、この楔６は本体６ａ内に挿入されて上記係止孔７内に着脱自在に嵌合するくの字状の板バネ６ｄからなる緩み止め部材を備えている。
【００５３】
このため、楔６を筒体２Ａ内に打ち込んだ時、係止ピン８に案内されながら長孔６ｃに沿ってこの楔６が真直ぐ移動し、また係止ピン８が長孔６ｃに嵌合していることにより、楔６が外れて紛失するのを防止できる。
【００５４】
さらに、楔６を深く打ち込んだ時、板バネ６ｄにおけるくの字状の係止部が自己復帰力で係止孔７内に嵌合し、振動等があっても楔６の緩みが防止され、その結果、手摺３ａ、３ｂ、３ｃが抜け出るのを防止できる。
【００５５】
図１に示す手摺連結部材４ａ、４ｂは図７に示すように、下方が解放された筒体９ａと、筒体９ａの上壁の中央に形成した覗き孔１０と、筒体９ａの下端に連設されて底壁９ｃが傾斜する楔ガイド部９ｂと、楔ガイド部９ｂ内に底壁９ｃに沿ってスライド自在に挿入した楔１３と、から構成されている。
【００５６】
上記楔ガイド部９ｂは側壁に形成した係止孔１１と、底壁９ｃに下方に向けて突設した係止ピン１２と、を備えている。
【００５７】
更に、楔１３は断面コ字状に形成された本体１３ａと、本体１３ａの底部１３ｂに長手方に形成されて上記係止ピン１２にスライド自在に嵌合する長孔１３ｃと、本体１３ａ内に挿入されて係止孔１１内に着脱自在に嵌合する板バネ１４からなる緩み止め部材と、を備えている。
【００５８】
上記手摺連結部材４ａ、４ｂによれば、例えば、図７に示すように、左側の手摺３ａの左端部と中間の手摺３ｃの右端部とを突き合わせながら筒体９ａ内に挿入することにより右側の手摺３ａと中間の手摺３ｃとが水平方向に沿って連結される。
【００５９】
逆に中間の手摺３ｃのみを修理、交換等のために取外す場合は、左右の手摺連結部材４ａ、４ｂの各楔６を予め緩めておき、各筒体９ａを左右の手摺３ａ、３ｂ側に全量スライドさせればよい。
【００６０】
筒体９ａには覗き孔１０が形成されているので、右側の手摺３ａ、と中間の手摺３ｃの端部同士がきちんと当接しているかどうかを視認でき、安全性を図れる。
【００６１】
筒体９ａ内に底壁９ｃに沿ってスライド自在に嵌合する楔６を備えているので、筒体９ａの上壁内面に打ち込んだ楔１３の上面とでこの手摺３ａ、３ｂ、３ｃを挟持できるが、楔１３を緩めたときは逆に手摺３ａ、３ｂ、３ｃを抜き出すことができ、手摺の取付け、取り外しが容易となる。
【００６２】
また、筒体９ａは上記のように係止孔１１と、係止ピン１２と、係止ピン１２にスライド自在に嵌合する長孔１３ｃと、係止孔１１内に着脱自在に嵌合する板バネ１４からなる緩み止め部材を備えているので、楔１３を筒体９ａ内に打ち込んだ時、係止ピン１２に案内されながら長孔１３ｃ沿ってこの楔１３が真直ぐ移動し、また係止ピン１２が長孔１３ｃに嵌合していることにより、楔１３が外れて紛失するのを防止できる。
【００６３】
さらに、楔１３を深く打ち込んだ時、板バネ１４におけるくの字状の係止部が自己復帰力で係止孔１１内に嵌合し、振動等があっても楔６の緩みが防止され、その結果手摺３ａ、３ｂ、３ｃが抜け出るのを防止できる。
【００６４】
上記のように、本発明の手摺装置Ｔは複数の手摺連結部材４ａ、４ｂ、４ｃを備えているので、中間の手摺３ｃの両側に設けた手摺連結部材４ａ、４ｂを隣接する他方の手摺３ａ、３ｂ側にスライドすることにより、この中間の手摺３ｃは手摺連結部材４ａ、４ｂから外れ独立して抜き取ることができる。
【００６５】
また、手摺連結部材４ａ、４ｂを隣接する両側の手摺３ａ、３ｂに予め取付けておき、この状態で両側の手摺連結部材４ａ、４ｂをそれぞれ中間の手摺３ｃの両側にスライドして挿入することにより中間の手摺３ｃを隣接する他の手摺３ａ、３ｂに簡単に継ぎ足すことができる。
【００６６】
このため、作業現場に応じて手摺３ａ、３ｂ、３ｃの全体の長さを調節し、あるいは、損傷した中間の手摺３ｃをその都度新しいものと交換でき、手摺３ａ、３ｂ、３ｃの取付け、取り外し作業の向上を図れる。
さらに、上記したように、手摺保持部材２と、手摺連結部材４ａ、４ｂとはそれぞれ手摺３ａ、３ｂ、３ｃに対する板バネ６ｄ、１４からなる緩み止め部材を有しているので、振動等があっても楔６，１３が弛まず、その結果、これらの手摺保持部材２と手摺連結部材４ａ、４ｂに手摺３ａ、３ｂ、３ｃがしっかりと保持され、手摺３ａ、３ｂ、３ｃが外れるのを防止でき、安全性の向上が図れる。
【００６７】
上記命綱取付け用のガイド５は図８〜図１１に示すように、下方が解放された筒体１５と、筒体１５の両端に設けたラッパ型の筒部１６、１６と、筒体１５の上壁と右側部に設けられて上記手摺３ａ、３ｂ、３ｃの上面と右側面にそれぞれ回転自在に当接する一つ又は複数の上部ローラ２３ａ、２３ｂ及び右側ローラ２２ａ、２２ａと、筒体１５の右側部に張出して設けた命綱取付け具２７とを備えている。なお、右側ローラ２２ａ，２２ａは、それぞれ筒体１５の右側部に張り出された一対のブラケット１９に回転軸２１ｂを介して転動自在に固定されている。
【００６８】
更に、筒体１５の左側側部に設けた取付け部材１８と、取付け部材１８に搖動自在に取付けた長細のブラケット１７と、ブラケット１７の両側に回転軸２１ｃを介して設けられて上記手摺３ａ、３ｂ、３ｃの左側面に回転自在に当接する前後二つの左側ローラ２２ｂ、２２ｂとを有している。
【００６９】
また、上記取付け部材１８と上記ブラケット１７間に介装されて上記ブラケット１７と左側ローラ２２ｂ、２２ｂを上記手摺３ａ、３ｂ、３ｃ側に附勢するスプリング２６とを有している。
【００７０】
この場合、断面Ｕ字状の取付け部材１８が上記筒体１５の左側側部から張り出して設けられ、断面Ｕ字状のブラケット１７が上記取付け部材１８に左右移動自在な支持軸２４を介して搖動自在に取付けられ、取付け部材１８の外端とブラケット１７の外端間にガイドピン２５が設けられ、このガイドピン２５の外周にコイルスプリング２６が介装されている。
【００７１】
また、上記筒体１５の内径寸法が上記手摺保持部材２の筒体２Ａ及び上記手摺連結部材４の筒体９ａの外径より大きく成形されている。この為、ガイド５は手摺連結部材４ａ、４ｂの外周のみならず、手摺保持部材２の外周も通過できるようになっている。また、このガイド５はストレートな左右の手摺３ａ、３ｂのみならず、中間の手摺３ｃのように湾曲していても通過できるようになっている。
【００７２】
本発明の命綱取付け用のガイドは命綱取付け具２７の取付けた命綱が作業者の胴部に巻き付けられているので、作業者の歩行に伴ってこのガイドは各手摺３ａ、３ｂ、３ｃの外周に沿って移動する。
【００７３】
図８、図１１はガイド５がストレートな右側手摺３ａの外周を通過する時の平面図と断面図であり、この場合はブラケット１７がスプリング２６で筒体１５の方向に附勢されている結果、このブラケット１７は筒体１５と平行であり、各左右のローラ２２ａ、２２ｂは手摺３ａに対して平行に当接している。
【００７４】
図９はガイド５がコーナーの湾曲した中間の手摺３ｃを通過する時の平面図であり、この場合、手摺３ｃのカーブが緩やかで、ストレートに近い場合は、図のように各左右のローラ２２ａ、２２ｂはそれぞれ手摺３ｃの外周に当接しているが、カーブの角度が鋭い場合はブラケット１７が揺動して一つのローラ２２ｂのみしか手摺３ｃに当接しない場合もあるが、ガイド５自体はカーブに沿って通過できるようになっている。
【００７５】
図１０はガイド５が手摺保持部材２の外周を通過する時の平面図を示している。
【００７６】
この場合は、左側ローラ２２ｂ、２２ｂのうち前側のローラ２２ｂが手摺保持部材２２の筒体２Ａの外周に当接した時、このローラ２２ｂが外側に押され、その結果スプリング２６に抗してブラケット１７が支持軸２４を中心にして回転方向に揺動し、このローラ２２ｂが手摺保持部材２の筒体２Ａの外周に乗りあがって通過できるようになっている。
【００７７】
以上のように、命綱取付け用のガイド５は搖動するローラ２２ｂ、２２ｂを設けているので、手摺３ａ、３ｂ、３ｃが作業現場のコーナーに設けた湾曲した手摺であっても、あるいは、手摺保持部材２と手摺連結部材４ａ、４ｂの外径が仕様のものより大きくても、このローラ２２ｂ、２２ｂが搖動して手摺保持部材２や手摺連結部材４ａ、４ｂの各外周に乗り上がって通過できる。
【符号の説明】
【００７８】
Ｗ  被取付け部材
１ａ、１ｂ、１ｃ  縦支柱
２  手摺保持部材
２Ａ  筒体
２Ｂ  底壁
３ａ、３ｂ、３ｃ  手摺
４ａ、４ｂ、４ｃ  手摺連結部材
５  ガイド
６  楔
６ａ  本体
６ｂ  底部
６ｃ  長孔
６ｄ  板バネ
７  係止孔
８  係止ピン
９ａ  筒体
９ｂ  楔ガイド部
１０  覗き孔
１１  係止孔
１２  係止ピン
１３  楔
１３ａ  本体
１３ｂ底部
１３ｃ  長孔
１４  板バネ
１５  筒体
１６  筒部
１７  ブラケット
１８  取付け部材
２２ａ、２２ｂ  ローラ
２４  支持軸
２５  ガイドピン
２６  スプリング
【図１】
2018044343.tif 000003
【図２】
2018044343.tif 000004
【図３】
2018044343.tif 000005
【図４】
2018044343.tif 000006
【図５】
2018044343.tif 000007
【図６】
2018044343.tif 000008
【図７】
2018044343.tif 000009
【図８】
2018044343.tif 000010
【図９】
2018044343.tif 000011
【図１０】
2018044343.tif 000012
【図１１】
2018044343.tif 000013